(57)【要約】【課題】センタースイッチとこのセンタースイッチの周囲に配備された複数のサイドスイッチとを有する多接点入力装置において、全体形状の小形化・コンパクト化を図る。【解決手段】センタースイッチＳ１のドーム状スナッププレートでなる可動電極４１と、サイドスイッチＳ２のドーム状スナッププレートでなる可動電極４２とを、筐体Ｈの厚さ方向で重なり状に配備する。サイドスイッチＳ２の可動電極４２を、センタースイッチＳ１の可動電極４１から見て放射方向外下がりの傾斜姿勢に配備する。ボディ１に形成した傾斜面２３の上に可動電極４２を載架支持させる。操作部材６にセンター押圧部６７とサイド押圧部６１とを具備させる。【選択図】        図１
2004235054.tif 000002
【特許請求の範囲】
【請求項１】
センタースイッチ及びこのセンタースイッチの周囲に配備された複数のサイドスイッチのそれぞれが、操作部材によって押下げ操作されるドーム状のスナッププレートでなる可動電極を備え、センタースイッチの可動電極に対して、各サイドスイッチのそれぞれの可動電極の一部分が、センタースイッチ及び各サイドスイッチの可動電極を収容している筐体の厚さ方向で重なり状に配備されている多接点入力装置において、
上記各サイドスイッチのそれぞれの可動電極が、上記センタースイッチの可動電極に対して放射方向外下がりの傾斜姿勢に配備されていることを特徴とする多接点入力装置。
【請求項２】
センタースイッチの可動電極及び各サイドスイッチのそれぞれの可動電極の頂部が同一又は略同一の高さ位置に配備されている請求項１に記載した多接点入力装置。
【請求項３】
上記操作部材が、上記センタースイッチの可動電極の中心部を押下げるためのセンター押圧部と、このセンター押圧部を中心として揺動されたときにいずれかの上記サイドスイッチの可動電極の中心部を押し下げるサイド押圧部とを有する請求項１又は請求項２に記載した多接点入力装置。
【請求項４】
上記サイドスイッチの傾斜姿勢の可動電極は、その中心部が上記操作部材のサイド押圧部によって押し下げられたときにその可動電極の曲率半径方向に撓み変位するようにその傾斜姿勢が定められている請求項３に記載した多接点入力装置。
【請求項５】
上記サイドスイッチの可動電極は、その外周縁部が、この可動電極の相手方電極である固定電極を埋入した上記筐体に備わっている傾斜面に載架支持されてその傾斜姿勢を保持している請求項１ないし請求項４のいずれか１項に記載した多接点入力装置。
【請求項６】
上記サイドスイッチの可動電極は、その外周縁部が、上記筐体に水平姿勢で埋入されたベース電極に膨出状に形成されている傾斜面に載架支持され、その可動電極の中心部に対向する固定電極が上記筐体に埋入されていると共に、その固定電極の中心部が上記膨出部によって形作られた凹部に位置している請求項１ないし請求項４のいずれか１項に記載した多接点入力装置。
【発明の詳細な説明】
【０００１】
【発明の属する技術分野】
本発明は、多接点入力装置、詳しくはセンタースイッチとこのセンタースイッチの周囲に配備された複数のサイドスイッチのそれぞれとが、操作部材の操作を通じて開閉されるようになっている多接点入力装置に関する。
【０００２】
【従来の技術】
多接点入力装置は、１つ又は複数の操作部材を操作して異なる信号を入出力することに用いられている。従来のこの種の多接点入力装置のうち、センタースイッチや各サイドスイッチがスナッププレートでなる可動電極を備えているものでは、それらのセンタースイッチや各サイドスイッチのスナッププレートでなる可動電極を互いに重なり合わないように配備するというのが普通であった。
【０００３】
しかし、そのような従来の多接点入力装置によると、センタースイッチやサイドスイッチの組み付けられる筐体が、ドーム状のスナッププレートでなるそれらの可動電極を当該筐体の厚さ方向で重ならないように配備し得るだけの大きさを有していることが必要になるので、筐体の大きさが可動電極を形成しているスナッププレートの大きさや数などによって決まってしまう状況があった。そのため、スナッププレートでなるそれらの可動電極を筐体の厚さ方向で重ならないように配備するという考え方が、筐体を小形化して多接点入力装置の全体形状の小型化・コンパクト化を図る上での障害の１つになっていた。
【０００４】
一方、特許文献１として掲げた先行例１には、図６に示した多接点入力装置が開示されている。この多接点入力装置は、センタースイッチＳ１とこのセンタースイッチＳ１の周囲に配備された複数のサイドスイッチＳ２とを有し、センタースイッチＳ１及び各サイドスイッチＳ２のそれぞれが、ボディ１とカバー５とでなる筐体Ｈの上記ボディ１に設けられた固定電極３１，３２とそのボディ１に配備されたドーム状のスナッププレートでなる可動電極４１，４２とによって形成されているだけでなく、センタースイッチＳ１の可動電極４１に対して、複数のサイドスイッチＳ２のそれぞれの可動電極４２の一部分がボディ１の厚さ方向で重なり状に配備されている。また、センタースイッチＳ１や各サイドスイッチＳ２を個別に開閉操作可能な操作部材７を備えている。
【０００５】
この先行例の多接点入力装置によると、冒頭で説明した従来の多接点入力装置のようにセンタースイッチの可動電極と複数のサイドスイッチの可動電極とがボディの厚さ方向で重ならないように配備されているものに比べて、両者の重なり幅Ｄに見合う長さだけ可動電極４１，４２の配備スペースを狭くすることが可能になり、そのことが、筐体Ｈの大きさを小さくして多接点入力装置の全体形状の小形化・コンパクト化を促進することに役立つ。特許文献２として掲げた先行例２にも同様の構成が開示されている。
【０００６】
なお、先行例１では、サイドスイッチＳ２の可動電極４２がセンタースイッチＳ１の可動電極４１の上に重なり状に配備されているのに対し、先行例２では、センタースイッチの可動電極がサイドスイッチの可動電極の上に重なり状に配備されている。また、いずれの先行例のものも、全部の可動電極が水平姿勢に配備されている。
【０００７】
【特許文献１】
特開２００１−２８３６９０号公報
【特許文献２】
特開２００１−１７６３５７号公報
【０００８】
【発明が解決しようとする課題】
しかしながら、先行例１や先行例２のものでは、センタースイッチの可動電極とサイドスイッチの可動電極とを筐体の厚さ方向で重なり状に配備することによって可動電極の水平方向での配備スペースを小さく抑え、それによって筐体の大きさを小さくするという課題を達成しているものではあるけれども、全部の可動電極が水平姿勢で配備されていることにより、筐体の厚さ方向での可動電極の配備スペースの高さは、可動電極を重ならないように配備したものに比べて高くなるという問題があった。
【０００９】
本発明は、以上の問題に鑑みてなされたものであり、センタースイッチの可動電極とサイドスイッチの可動電極とを筐体の厚さ方向で重なり状に配備することによって可動電極の水平方向での配備スペースを小さく抑え得るものでありながら、筐体の厚さ方向での可動電極の配備スペースの高さを低く抑えることのできる構造を持った多接点入力装置を提供することを目的とする。
【００１０】
また、本発明は、センタースイッチの可動電極とサイドスイッチの可動電極とを筐体の厚さ方向で重なり状に配備することによって可動電極の水平方向での配備スペースを小さく抑え得るものでありながら、可動電極を重ならないように配備した多接点入力装置と同等の厚さを持たせることの可能な多接点入力装置を提供することを目的とする。
【００１１】
【課題を解決するための手段】
本発明に係る多接点入力装置は、センタースイッチ及びこのセンタースイッチの周囲に配備された複数のサイドスイッチのそれぞれが、操作部材によって押下げ操作されるドーム状のスナッププレートでなる可動電極を備え、センタースイッチの可動電極に対して、各サイドスイッチのそれぞれの可動電極の一部分が、センタースイッチ及び各サイドスイッチの可動電極を収容している筐体の厚さ方向で重なり状に配備されている多接点入力装置において、上記各サイドスイッチのそれぞれの可動電極が、上記センタースイッチの可動電極に対して放射方向外下がりの傾斜姿勢に配備されている。
【００１２】
この構成であれば、センタースイッチの可動電極に対して、各サイドスイッチのそれぞれの可動電極の一部分が、それらを収容している筐体の厚さ方向で重なり状に配備されているという構成によって、その重なり幅に見合う寸法だけ可動電極の水平方向での配備スペースが狭くて済むようになり、併せて、各サイドスイッチのそれぞれの可動電極が、センタースイッチの可動電極に対して放射方向外下がりの傾斜姿勢に配備されていることによって、可動電極が水平に配備されているものに比べ、筐体の厚さ方向での可動電極の配備スペースの高さが低く抑えられる。すなわち、センタースイッチやサイドスイッチのそれぞれの可動電極がドーム状のスナッププレートで構成されていることにより、放射方向外下がりの傾斜姿勢に配備されたサイドスイッチの可動電極を形成しているドーム状のスナッププレートの頂部の高さ位置が、図６で説明した先行例１や、あるいは先行例２に見られるようなもの、すなわち、水平姿勢で配備されたドーム状のスナッププレートでなるサイドスイッチの可動電極の頂部の高さ位置よりも低位になるので、それだけ筐体の厚さ方向での可動電極の配備スペースの高さが低く抑えられる。したがって、可動電極の水平方向での配備スペースが狭くて済むことと、筐体の厚さ方向での可動電極の配備スペースの高さが低く抑えられることとが相まって、多接点入力装置の全体形状の小形化・コンパクト化を促進しやすくなる。
【００１３】
本発明では、センタースイッチの可動電極及び各サイドスイッチのそれぞれの可動電極の頂部が同一又は略同一の高さ位置に配備されていることが望ましい。これによれば、筐体の厚さを、センタースイッチの可動電極に対してサイドスイッチの可動電極を筐体の厚さ方向で重ならないように配備した多接点入力装置の筐体と同等の厚さにまで薄くすることが可能になる。
【００１４】
本発明では、上記操作部材が、上記センタースイッチの可動電極の中心部を押下げるためのセンター押圧部と、このセンター押圧部を中心として揺動されたときにいずれかの上記サイドスイッチの可動電極の中心部を押し下げるサイド押圧部とを有するという構成を採用することができ、それによれば、１つの操作部材によってセンタースイッチやサイドスイッチのスイッチングモードを選択的に切り換えることが可能になる。
【００１５】
本発明では、上記サイドスイッチの傾斜姿勢の可動電極は、その中心部が上記操作部材のサイド押圧部によって押し下げられたときにその可動電極の曲率半径方向に撓み変位するようにその傾斜姿勢が定められていることが望ましい。これによれば、ドーム状のスナッププレートでなるサイドスイッチの可動電極が、傾斜姿勢で配備されているにもかかわらず無理のない適正なスナップ動作を行うので、操作部材を操作したときの感触が良好に保たれるようになる。
【００１６】
本発明において、上記サイドスイッチの可動電極は、その外周縁部が、この可動電極の相手方電極である固定電極を埋入した上記筐体に備わっている傾斜面に載架支持されてその傾斜姿勢を保持しているものであってもよい。これによれば、サイドスイッチの可動電極が筐体の傾斜面上でスナップ動作を行うので、サイドスイッチの可動電極のスナップ動作がセンタースイッチの可動電極と擦れて損傷するという事態が防ぐことができる。
【００１７】
本発明において、上記サイドスイッチの可動電極は、その外周縁部が、上記筐体に水平姿勢で埋入されたベース電極に膨出状に形成されている傾斜面に載架支持され、その可動電極の中心部に対向する固定電極が上記筐体に埋入されていると共に、その固定電極の中心部が上記膨出部によって形作られた凹部に位置している、という構成を採用することができる。これによれば、サイドスイッチの可動電極がベース電極の傾斜面上でスナップ動作を行うので、サイドスイッチの可動電極のスナップ動作がセンタースイッチの可動電極と擦れて損傷するという事態が防ぐことができる。また、サイドスイッチの可動電極の中心部に対向する固定電極が筐体に埋入されていて、その固定電極の中心部がベース電極の膨出部によって形作られた凹部に位置しているので、サイドスイッチの可動電極が傾斜姿勢で配備されているものでありながら、そのサイドスイッチの可動電極のスナップ動作時のストロークを十分に大きく確保することができるようになる。
【００１８】
【発明の実施の形態】
図１は本発明の実施形態に係る多接点入力装置の縦断正面図、図２はベース電極３３と固定電極３１，３２とが埋入されたボディ１の平面図、図３はボディ１での可動電極４１，４２の配列を示した概略平面図である。
【００１９】
図１〜図３のように、筐体Ｈは、合成樹脂成形体でなるボディ１とこのボディ１に被着された板金製のカバー５とによって、傾斜したコーナ部を具備する平面視略方形の偏平形状に形成されている。ボディ１は、当該ボディ１の外縁部を形成している周囲壁１２を具していると共に、この周囲壁１２の等角度置きの４箇所から内向きに突き出された４つの仕切り壁１３…を具備している。そして、周囲壁１２の内面と４つの仕切り壁１３…の側面とによって等角度起きに位置する４つの凹所２１…が形成され、しかも、上記した４つの仕切り壁１３…のそれぞれの内端面１４…によって取り囲まれた中央の１つの凹所２２が形成されている。
【００２０】
図２又は図３で判るように、４つの仕切り壁１３…によって仕切られている４つの凹所２１…のそれぞれは、内面が円弧面に形成された円形凹所である。また、中央の１つの凹所２２を形成している仕切り壁１３…の内端面１４…も中心が一致する円弧面に形成されているため、この凹所２２も円形凹所である。そして、中央の１つの凹所２２とその周囲の４つの凹所２１…のそれぞれとは、相隣接している仕切り壁１３，１３の相互間の空間を経てつながっている。
【００２１】
また、図１で判るように、中央の１つの凹所２２の底面が水平に形成されているのに対し、その周囲の４つの凹所２１…の各底面は、中央の凹所２２の中央から見て放射方向で外下がりに傾斜した傾斜面２３…として形成されている。そして、図１又は図２のように、中央の１つの凹所２２の底面２２の中央部に固定電極３１が配備されており、この固定電極３１の電極面は凹所２２の底面と面一になっている。また、周囲の４つの凹所２１…のそれぞれの底面である傾斜面２３の中央部にもそれぞれ固定電極３２…が配備されており、それらの固定電極３２…の電極面が傾斜面２３…と面一になっている。さらに、中央の凹所２２の底面と４つの傾斜面２３…のそれぞれには、一枚の金属板によって形成されたベース電極３３…が、上記した各固定電極３１，３２…に対して電気絶縁状態で配備されている。これらのベース電極３３の上面は凹所２２の底面や傾斜面２３と面一になっている。
【００２２】
図２で判るように、中央の凹所２２に配備されている固定電極３１には半田付け端子３４が連設されている。また、周囲の４つの凹所２１…に配備されている固定電極３２…のそれぞれにも半田付け端子３５…が各別に連設されている。さらに、ベース電極３３…にも半田付け端子３６が連設されている。そして、それらの各半田付け端子３４，３５…，３６が、ボディ１の左右に３つずつ振り分けて横向きに突出されている。図例の各半田付け端子３４，３５…，３６は面実装形になっているけれども、これらの半田付け端子３４，３５…，３６をピン形に形成しておいてもよい。
【００２３】
中央の凹所２２や周囲の４つの凹所２１…の直径は同一寸法になっている。そして、それらの各凹所２１…，２２のそれぞれに、図１又は図３のように、平面視円形で同一の形状及び大きさのドーム状のスナッププレートでなる可動電極４１，４２…が嵌め込まれて、それらの可動電極４１，４２…が、上記した各凹所２１…，２２で、ベース電極３３…に接触した状態で着座されている。なお、中央の凹所２２に嵌め込まれている可動電極４１は、同じ大きさ及び形状の２枚のスナッププレートを重ね合わせることによって形成されている。ここで、それぞれの可動電極４１，４２…の直径は、上記した各凹所２１…，２２の直径寸法よりも少し短くなっている。そのため、中央の凹所２２に嵌め込まれている可動電極４１は、中央の凹所２２の中でスナップ動作を伴う撓み変形が可能であり、周囲の４つの凹所２１…のそれぞれに嵌め込まれている可動電極４２…は、それらの各凹所２１…の中でスナップ動作を伴う撓み変形が可能である。また、中央の凹所２２に嵌め込まれている可動電極４１の外周部の４箇所には、周囲の４つの凹所２１…に嵌め込まれている可動電極４２…のそれぞれの一部分が筐体Ｈの厚さ方向での重なり状に配備されている。ここで、中央の凹所２２の固定電極３１とそれを覆ってその凹所２２に嵌め込まれている可動電極４１とによってセンタースイッチＳ１が形成されている。また、周囲の４つの凹所２１…の傾斜面２３…の各固定電極３２…とそれらの固定電極３２…のそれぞれを覆ってそれらの凹所２１…に各別に嵌め込まれている各可動電極４２…とによって４つのサイドスイッチＳ２…が形成されている。
【００２４】
以上の構成であると、センタースイッチＳ１の可動電極４１に対して、その周囲の４つのサイドスイッチＳ２…の各可動電極４２…の一部分が筐体Ｈの厚さ方向で重なり状に配備されているため、図６で説明したところと同様に、センタースイッチＳ１の可動電極４１とボディ１の対角方向に配備されているサイドスイッチＳ２の可動電極４２との重なり幅Ｄに見合う長さだけボディ１、ひいては筐体Ｈの対角長さを短くすることが可能になる。また、センタースイッチＳ１や４つのサイドスイッチＳ２…の各可動電極４１，４２…のそれぞれは、凹所２２，２１…によって各別に位置決めされて位置ずれしないようになっているので、センタースイッチＳ１やサイドスイッチＳ２…が開閉されるときの動作信頼性が良好に保たれる。さらに、サイドスイッチＳ２の可動電極４２が傾斜面２３上でスナップ動作を行うので、サイドスイッチＳ２の可動電極４２のスナップ動作がセンタースイッチＳ１の可動電極４１と擦れて損傷するという事態が起こらない。
【００２５】
図１のように、ボディ１に被着された板金製のカバー５の中央に上窄まりリング状のガイド条５１が備わっている。そして、４つのサイドスイッチＳ２のそれぞれの可動電極４２…に対する各別のサイド押圧部６１…を裏面側に備えた可動部材６３が、上記ガイド条５１を介して全方位揺動可能にボディ１とカバー５とによって保持されている。また、可動部材６３の中心孔６２に、操作杆６５が軸方向摺動自在に貫挿されており、この操作杆６５の下端部に一体形成されている鍔部６６が可動部材６３の下面６４対向し、かつ、その鍔部６６の下面にセンタースイッチＳ１の可動電極４１に対するセンター押圧部６７が設けられている。この実施形態では、可動部材６３と操作杆６５とによって操作部材６が形成されている。
【００２６】
以上のように構成された他接点入力装置において、操作部材６に揺動方向の外力や押込方向の外力が加わっていないときには、図１のようにセンタースイッチＳ１の可動電極４１によって操作杆６５のセンター押圧部６７が支えられ、かつ、４つのサイドスイッチＳ２の各可動電極４２によって可動部材６３の４つのサイド押圧部６１…が支えられている。そのため、操作部材６が直立した中立姿勢を保つ。
【００２７】
操作杆６５を押し込むと、そのセンター押圧部６７がセンタースイッチＳ１の可動電極４１をスナップ動作させながら押し込んで撓み変形させるので、可動電極４１が固定電極３１に接触して両電極４１，３１が電気的に導通し、センタースイッチＳ１の開閉が切り換わる。また、操作杆６５を揺動させると、それに追従して可動部材６３が傾く。そのため、切り換えようとする所定のサイドスイッチＳ２側に操作杆６５を揺動させると、可動部材６３の所定のサイド押圧部６１が所定のサイドスイッチＳ２の可動電極４２をスナップ動作させながら押し込んで撓み変形させるので、可動電極４２が固定電極３２に接触して両電極４２，３２が電気的に導通し、所定のサイドスイッチＳ２の開閉が切り換わる。他のサイドスイッチＳ２の開閉を切り換えるときにも同様の操作を行う。
【００２８】
この実施形態では、操作杆６５が可動部材６３に対して軸方向摺動自在であるため、操作杆６５を押し込んでセンタースイッチＳ１の開閉を切り換える動作と、操作杆６５と共に可動部材６３を傾けて所定のサイドスイッチＳ２の開閉を切り換える動作とを併せ行うことが可能である。
【００２９】
この実施形態では、１つの操作部材６を押し込んだり傾けたりすることによって、センタースイッチＳ１や４つのサイドスイッチＳ２の開閉を個別に切り換えることができるようになっているけれども、センタースイッチＳ１や４つのサイドスイッチＳ２に対して個別に操作部材を配備しておき、それぞれの操作部材を個別に操作することによってセンタースイッチＳ１や４つのサイドスイッチＳ２の開閉を個別に切り換えるようにすることも可能である。また、センタースイッチＳ１やサイドスイッチＳ２…のそれぞれの可動電極４１，４２…を上方に膨らみ出た円形ドーム状のスナッププレートで形成してあるけれども、この点は、それらの可動電極を他の形状（たとえば四角形）の上方に膨らみ出たドーム状のスナッププレートで形成しておくことも可能である。
【００３０】
この実施形態では、ベース電極３３が、センタースイッチＳ１の可動電極４１と４つのサイドスイッチＳ２…の各可動電極４２…との両方に接触する共通端子として形成されているため、それぞれのスイッチＳ１，Ｓ２…の各可動電極４１，４２…が重なり部分で接触していてもスイッチングモード切換え上の問題を生じることはない。しかし、各可動電極４１，４２…が重なり部分で接触していると、たとえばサイドスイッチＳ２の可動電極４２がスナップ動作を行うときに、その可動電極４２がセンタースイッチＳ１の可動電極４１と擦れるので、それらの可動電極４１，４２が損傷するおそれがある。これを解消するためには、センタースイッチＳ１の可動電極４１の上面と各サイドスイッチＳ２…のそれぞれの可動電極４２…の外周縁との間に隙間Ｕを形成しておくことが有益である。
【００３１】
図１のように、この実施形態では、センタースイッチＳ１の可動電極４１及び各サイドスイッチＳ２のそれぞれの可動電極４２…の頂部が仮想線で示した仮想平面Ｐ−Ｐ上に位置している。言い換えると、それらの可動電極４１，４２…の頂部が同一又は略同一の高さ位置に配備されている。そのため、筐体Ｈの厚さが、冒頭で説明した従来の多接点入力装置の筐体と同等の厚さにまで薄くすることが可能になる。
【００３２】
また、この実施形態では、傾斜姿勢に配備されているサイドスイッチＳ２の可動電極４２の傾斜角度を適切に定めることによって、その可動電極４２の中心部が可動部材６３のサイド押圧部６１によって押し下げられたときにその可動電極４２の曲率半径方向に撓み変位するようにその可動電極４２傾斜姿勢が定められている。そのため、ドーム状のスナッププレートでなるサイドスイッチＳ２の可動電極４２は、それが傾斜姿勢で配備されているにもかかわらず無理のない適正なスナップ動作を行うようになり、操作部材６を操作したときのスナップ感触が良好に保たれるようになる。
【００３３】
さらに、この実施形態では、４つの凹所２１…でのボディ１の底面を傾斜面２３…とし、それらの傾斜面２３の上に可動電極４２を載架した事例を説明したけれども、傾斜面２３は他の手段によって形成することも可能である。その一例を図４及び図５に示してある。
【００３４】
すなわち、図４は他の実施形態に係るベース電極３３と固定電極３１，３２との配列を示した概略平面図、図５は他の実施形態に係る多接点入力装置の縦断正面図である。
【００３５】
この実施形態は、次に説明する…が、図１〜図３で説明した実施形態（先行実施形態）の多接点入力装置と異なっている。すなわち、先行実施形態が傾斜面２３…をボディ１の凹所２１…での底面で形成し、その傾斜面２３…に可動電極４２の外周縁部を載架してあるのに対し、この実施形態では、ボディ１の凹所２１…の底面を水平面とし、それらの底面と面一にベース電極３３…を埋入してある点、ベース電極３３…のそれぞれの外周部２箇所にリブ状の膨出部３７…を膨出状に形成してそれらの膨出部３７…の上面を傾斜面２３…として形成してある点、膨出部３７…の上面によって形成された傾斜面２３…の上に、可動電極４２…の外周縁部を載架支持させてある点、その可動電極４２…の中心部に対向する固定電極３２…がボディ１に埋入されてその中心部が膨出部３７…によって形作られた凹部に位置している、という点である。こうしておけば、サイドスイッチＳ２の可動電極４２がベース電極３３の傾斜面３７上でスナップ動作を行うので、サイドスイッチＳ２の可動電極４２のスナップ動作がセンタースイッチＳ１の可動電極４１と擦れて損傷するという事態が防ぐことができる。また、サイドスイッチＳ２の可動電極４２の中心部に対向する固定電極３２が膨出部３７によって形作られた凹部に位置しているので、サイドスイッチＳ２の可動電極４２が傾斜姿勢で配備されているものでありながら、そのサイドスイッチＳ２の可動電極４２のスナップ動作時のストロークを十分に大きく確保することができるようになるという利点もある。
【００３６】
図４又は図６で説明した他の実施形態において、上記した以外の事項は先行実施形態を示した図１〜図３と同様であるので、説明の重複を避けるため、同一又は相応する部分に同一符号を付して詳細な説明を省略した。
【００３７】
【発明の効果】
以上のように、本発明によれば、従来の多接点入力装置と同等の入出力能力を発揮し得るものでありながら、筐体の厚さや幅を小さく抑えて多接点入力装置の全体形状の小形化・コンパクト化を図ることが容易になる。
【図面の簡単な説明】
【図１】本発明の実施形態に係る多接点入力装置の縦断正面図である。
【図２】ベース電極と固定電極とが埋入されたボディの平面図である。
【図３】ボディでの可動電極の配列を示した概略平面図である。
【図４】他の実施形態に係るベース電極と固定電極との配列を示した概略平面図である。
【図５】他の実施形態に係る多接点入力装置の縦断正面図である。
【図６】先行例１によって開示された多接点入力装置の縦断正面図である。
【符号の説明】
Ｈ  筐体
Ｓ１  センタースイッチ
Ｓ２  サイドスイッチ
６  操作部材
２３  傾斜面
３２  固定電極
３３  ベース電極
４１，４２  可動電極
６１  サイド押圧部
６７  センター押圧部
【図１】
2004235054.tif 000003
【図２】
2004235054.tif 000004
【図３】
2004235054.tif 000005
【図４】
2004235054.tif 000006
【図５】
2004235054.tif 000007
【図６】
2004235054.tif 000008